(57)【特許請求の範囲】
【請求項１】
包装用箱の中に入れられた収容物に取り付けられ、ブランクシートから打ち抜かれた回り止め部材形成片から成り、この回り止め部材形成片には、帯状の本体と、上記本体の長手方向の端部より少し内側に設けられ上記本体を環状にして上記本体の長手方向の端部より少し内側同士を係合する係合部が設けられ、上記本体は、上記係合部により環状にされて上記収容物の一部に嵌合して係止され、上記本体の上記係合部より外側に位置する端部が、上記収容物の外側へ突出して上記包装用箱の内側に当接し、上記収容物の回転を抑えることを特徴とする回り止め部材。
【請求項２】
上記包装用箱及び上記回り止め部材は、透明な合成樹脂により形成されていることを特徴とする請求項１記載の回り止め部材。
【請求項３】
上記本体の上記係合部は、上記本体の長手方向に沿う側縁部から上記本体の内側に向かって形成された一対の切込線であり、上記一対の切込線は、一方の側縁部から互いに対向する側縁部に向かって設けられ、上記本体を上記一対の切込線を近づける方向へ湾曲させて上記一対の切込線同士を互いに差し込み係止することを特徴とする請求１または２記載の回り止め部材。
【請求項４】
上記係合部は、上記本体の一端部近傍に形成された糊付け部であることを特徴とする請求項１または2記載の回り止め部材。
【請求項５】
上記本体には、上記本体の長手方向に沿う一側縁部に折罫線を介して保持片が設けられ、上記保持片は上記収容物に沿って折り曲げられ、上記包装用箱内に嵌合されることを特徴とする請求１または2記載の回り止め部材。
【発明の詳細な説明】
【０００１】
【発明の属する技術分野】
この発明は、ビン等の収容物と包容用箱の間に設けられ、包装用箱に対する収容物の移動を防止する回り止め部材に関する。
【０００２】
【従来の技術】
従来、化粧水等の液体の商品が入れられているビンは、包装用箱に入れられ、この包装用箱とも店頭の陳列棚等に並べられている。このような包装用箱は、内容物であるビンがよく見えるように、透明な合成樹脂シートで作られているものがある。
【０００３】
【発明が解決しようとする課題】
上記従来の技術の場合、包装用箱が撓んでビンが包装用箱の内側で軸回りに回動することがある。このため、ビンの正面が包装用箱の正面からずれてしまい、陳列した状態でビンの正面に記された商品名や絵柄が見えなくなることがある。
【０００４】
この発明は上記従来の問題点に鑑みてなされたものであり、簡単な構造で包装用箱内で収容物の回動を防ぐ回り止め部材を提供することを目的とする。
【０００５】
【課題を解決するための手段】
この発明は、包装用箱の中に入れられた収容物に取り付けられ、ブランクシートから打ち抜かれた回り止め部材形成片から成り、この回り止め部材形成片には、帯状の本体と、上記本体の長手方向の端部より少し内側に設けられ上記本体を環状にして上記本体の長手方向の端部より少し内側同士を係合する係合部が設けられた回り止め部材である。上記本体は、上記係合部により環状にされて上記収容物の一部に嵌合して係止され、上記本体の上記係合部より外側に位置する端部が、上記収容物の外側へ突出して上記包装用箱の内側に当接し、上記収容物の回転を抑えるものである。
【０００６】
また、上記収容物は、例えば液体の化粧用品や医薬品が入れられたビンである。上記包装用箱は、透明な合成樹脂製のブランクシートを打ち抜いた箱体形成片で作られている。上記回り止め部材も、透明な合成樹脂により形成されていると良い。
【０００７】
上記本体の上記係合部は、上記本体の長手方向に沿う側縁部の互いに異なる端部近傍から上記本体の内側に向かって形成された一対の切込線であり、上記一対の切込線は異なる側の側縁部に、互いに対向する方向へ向かって設けられている。そして、一対の切込線の係合方法は、まず上記本体を、上記一対の切込線を近づける方向へ湾曲させて上記一対の切込線を互いに差し込む。また、上記係合部は、上記本体の一端部近傍に形成された糊付け部でも良い。
【０００８】
また、上記本体には、上記本体の長手方向に沿う側縁部に折罫線を介して保持片が設けられ、上記保持片は上記収容物に沿って折り曲げられ、上記包装用箱内に嵌合される。
【０００９】
この発明の回り止め部材は、上記本体が環状となり収容物の一部が差し込まれ、収容物に係止される。そして上記本体の端部が上記収容物の外側に突出し、上記包装用箱内に当接して収容物を位置決めし、収容物の回動を抑える。また、上記本体に設けられた保持片は、折罫線を介して上記収容物に沿って折り曲げられ、上記包装用箱に嵌合し、収容物の回動を防ぐ。
【００１０】
【発明の実施の形態】
以下、この発明の回り止め部材の実施形態について図面に基づいて説明する。図１〜図３は、この発明の第一実施形態の回り止め部材１０を示すもので、回り止め部材１０は、透明な合成樹脂シート等で作られた一枚のブランクシートを打ち抜いて形成された回り止め部材形成片１２により形成されている。
【００１１】
回り止め部材形成片１２は、帯状の本体１４が設けられ、本体１４の長手方向に対してほぼ平行な一方の側縁部１４ａには、本体１４の一端部１４ｂ寄りの位置に、側縁部１４ａに対して直角に本体１４に切り込まれた係合部である切込線１６が形成されている。そして、本体１４の長手方向に対してほぼ平行な他方の側縁部１４ｃには、本体１４の他方の端部１４ｄ寄りの位置に、側縁部１４ｃに対して直角に本体１４に切り込まれた係合部である切込線１８が形成されている。一対の切込線１６，１８の距離は、後述するビン２４のキャップ２８の円周とほぼ等しい。そして本体１４の端部１４ｂから切込線１６の距離は、本体１４の端部１４ｄから切込線１８の距離に等しく、各切込線１６，１８の長さは、本体１４の幅の約半分である。
【００１２】
次に、この実施形態の回り止め部材１０の使用方法について説明する。まず、回り止め部材形成片１２の本体１４を湾曲させ、一対の切込線１６，１８が近づくように、本体１４を捻る。次に、切込線１６，１８を互いに差し込み、各切込線１６、１８の先端部１６ａ，１８ａを当接させてα字状に組み立てる。これにより本体１４の、各切込線１６，１８の内側は環状となり、ビン２４のキャップ２８に巻き回される嵌合部２０となる。そして本体１４の、各切込線１６，１８の外側に位置する一対の端部１４ｂ，１４ｄは、嵌合部２０の外側へ突出する一対の支持部２２となる。
【００１３】
そして、透明な合成樹脂製の包装用箱２６に収容物であるビン２４を入れるとき、組み立てられた回り止め部材１０の嵌合部２０に、ビン２４のキャップ２８を差し込み取り付ける。このとき、ビン２４の正面２４ａと反対側に、一対の支持部２２が位置するように調整する。また、キャップ２８は嵌合部２０に、がたつき無く取り付けられ圧接して、嵌合部２０に対して回転することがない。そして、回り止め部材１０を取り付けた状態で、ビン２４を包装用箱２６の中へ入れる。このとき、ビン２４の正面２４ａを包装用箱２６の正面２６ａに一致させ、一対の支持部２２は、包装用箱２６の正面２６に対して直角な一対の側面２６ｂ，２６ｃと正面２６に対して平行な背面２６ｄで形成される一対の角部の内側に位置し、回転しないように係止される。
【００１４】
この実施形態の回り止め部材１０によれば、簡単な構造で包装用箱２６の内側でビン２４の回動を防ぐことができる。これにより包装用箱２６を店頭に陳列したときビン２４の正面２４ａが包装用箱２６の正面２６ａから移動することが無く、外観状態が良好で、内容物のビン２４の正面２４ａに取り付けられた文字や絵柄をはっきりと表示することができる。回り止め部材１０は、透明な合成樹脂で作られているため、キャップ２８も透過して見え、回り止め部材１０が目立たず、すっきりして見える。
【００１５】
次に、この発明の第二実施形態について図４，図５に基づいて説明する。ここで、上述の実施の形態と同様の部材は同様の符号を付して説明を省略する。この実施形態の回り止め部材３０は、帯状の本体１４の長手方向に対してほぼ平行な一方の側縁部１４ａに、本体１４の長手方向中心付近に、半円状に切り欠かれた切欠部３２が形成されている。そして側縁部１４ａの、切込線１６が形成されている部分にも、半円状に切り欠かれた切欠部３４が設けられ、切欠部３４は切欠部３２より小形である。さらに、側縁部１４ａの、切込線１８に対向する部分に、切欠部３４と同形の切欠部３６が形成されている。
【００１６】
この実施形態の回り止め部材３０は、上記実施形態と同様の使用方法であり、上記実施の形態と同様の効果を有するものである。そして本体１４の側縁部１４ａに、切欠部３２が設けられているため、キャップ２８の正面に内容物を取り出すためのノズルや、ヒンジキャップ２８の指かけ用突起等が設けられている場合でも、ノズルや指かけ用突起を切欠部３２により外側に逃がし、嵌合部２０をキャップ２８に隙間無く取り付け、回転を防ぐことができる。また、嵌合部２０の、切欠部３２と反対側には切欠部３４，３６が重ねられて一つの切欠部が形成され、キャップ２８の後側にノズルの指掛け突起や、ヒンジが突出していても切欠部３４，３６から外側に逃がして、嵌合部２０をキャップ２８に隙間無く取り付けることができる。
【００１７】
次に、この発明の第三実施形態について図６，図７に基づいて説明する。ここで、上述の実施の形態と同様の部材は同様の符号を付して説明を省略する。この実施形態の回り止め部材３８は、帯状の本体１４の、長手方向の中心に、長手方向に対して直角な折罫線４０が設けられている。そして、本体１４の端部１４ｂ寄りの部分には、折罫線４０に対して平行な折罫線４２が設けられている。また、本体１４の端部１４ｄ寄りの部分には、折罫線４０から、折罫線４２までの距離と同じ距離の位置に、折罫線４０に対して平行な折罫線４４が設けられている。折罫線４４の、折罫線４０側の本体１４には、折罫線４０側へ湾曲する半円状の切込線４６が形成されている。切込線４６の内側は、糊付片４８となっている。
【００１８】
次に、この実施形態の回り止め部材３８の使用方法について説明する。まず、糊付片４８の紙面裏面側に糊を塗布し、本体１４を折罫線４０で紙面表面側が凸になるように正折りし、糊付片４８を本体１４の紙面裏側に接着する。次にビン２４を収容し包装する工場等において、折罫線４２，４４を逆折りして外側に開き、支持部２２とする。そして折罫線４０を折罫線４２，４４に近づけるように本体１４を湾曲させ、嵌合部２０を形成し、嵌合部２０に、ビン２４のキャップ２８を差し込み取り付ける。このように、回り止め部材１０を取り付けた状態でビン２４を包装用箱２６の中へ入れる。
【００１９】
この実施形態の回り止め部材３８によれば、上記実施形態と同様の使用法であり、上記実施の形態と同様の効果を有するものである。そして、糊付片４８に本体１４を接着した状態で回り止め部材１０を出荷し、商品のビン２４を包装し出荷する工場において、折罫線４０を折罫線４２，４４折罫線に近づけるようにして湾曲させて、キャップ２８に取り付けるだけなので、組み立てる手間がかからず、便利である。
【００２０】
次に、この発明の第四実施形態について図８〜図１０に基づいて説明する。ここで、上述の実施の形態と同様の部材は同様の符号を付して説明を省略する。この実施形態の回り止め部材５０は、帯状の本体１４の長手方向に対してほぼ平行な一方の側縁部１４ａには、本体１４の端部１４ｄ寄りの位置に、側縁部１４ａに対して直角に本体１４に切り込まれた切込線５２が形成されている。そして、本体１４の長手方向に対してほぼ平行な他方の側縁部１４ｃには、本体１４の、他方の端部１４ｂ寄りの位置に、側縁部１４ｃに対して直角に本体１４に切り込まれた切込線５４が形成されている。一対の切込線５２，５４の距離は、ビン２４側面の円周とほぼ等しい。本体１４側縁部１４ｃには、側縁部１４ｄに連続して側方へ突出する保持片５６が、折罫線５７を介して設けられている。折罫線５７には、保持片５６の直線部５６ａ側から切込線５７ａが設けられている。保持片５６の、側縁部１４ｃに連続する部分は側縁部１４ｃに対して直角な直線部５６ａ，５６ｂであり、直線部５６ａ，５６ｂの先端は、外側に湾曲して形成されている。
【００２１】
次に、この実施形態の回り止め部材５０の使用方法について説明する。なお、ここでは図９がこの回り止め部材５０の紙面表面側を見たものであり、図９において紙面表側が凸になる折り方を正折り、そして紙面裏面側が凸になる折り方を逆折りと称する。まず、回り止め部材５０の本体１４を正折り方向に湾曲させ、そして一対の切込線５２，５４が近づくように本体１４を捻る。次に切込線５２，５４を互いに差し込み、各切込線５２，５４の先端部５２ａ，５４ａを当接させて組み立てる。これにより本体１４の、各切込線５２，５４の内側は環状となりビン２４の底部に連続する側面に巻き回される嵌合部２０となる。
【００２２】
そして、組み立てられた回り止め部材５０の嵌合部２０に、ビン２４の底部に連続する側面を差し込み取り付ける。このとき、ビン２４の正面２４ａと反対側に、本体１４の端部１４ｄが位置するように調整する。そして、回り止め部材５０を取り付けた状態でビン２４を包装用箱２６の中へ入れる。このとき保持片５６は、折罫線５７で本体１４から直角に正折りされて、包装用箱２６の底部２６ｅ内側に当接する。そして保持片５６の一対の直線部５６ａ，５６ｂは、包装用箱２６の一対の側面２６ｂ、２６ｃの内壁に嵌合され、回転を抑えられている。
【００２３】
この実施形態の回り止め部材５０によれば、ビン２４の底部付近に取り付けて包装用箱２６内でのビン２４の回動を防ぐことができ、ビン２４のキャップ２８がよく見え、外観がすっきりとしたものとなる。そして、特殊な形状のキャップ２８が取り付けられているビン２４にも装着することができる。また保持片５６は、ビン２４の底部と包装用箱２６に狭持されているため、本体１４が上方へ移動することがない。
【００２４】
次に、この発明の第五実施形態について図１１、図１２に基づいて説明する。ここで、上述の実施の形態と同様の部材は同様の符号を付して説明を省略する。この実施形態の回り止め部材５８は、帯状の本体１４の長手方向に対してほぼ平行な一方の側縁部１４ａには、本体１４の端部１４ｄ寄りの位置に切込線５２が形成され、他方の端部１４ｂ寄りの位置に、切込線５４が形成されている。一対の切込線５２，５４の距離は、ビン２４側面の円周とほぼ等しい。そして本体１４の側縁部１４ｃには、端部１４ｄに連続して側方へ突出する保持片５６が、折罫線５７を介して設けられている。折罫線５７には、保持片５６の直線部５６ａ側から切込線５７ａが設けられている。本体１４の側縁部１４ａの所定位置には、１４ａの側方へ膨出する表示部６０が一体に形成されている。表示部６０には文字や絵柄が印刷されている。
【００２５】
この実施形態の回り止め部材５８は、第四実施形態と同様の使用法であり、同様の効果を有するものである。そして、表示部６０がビン２４の正面に位置し、表示部６０に書いた文字や絵柄が包装用箱２６の外側から視認され、より効果的に広告効果を発揮する。
【００２６】
次に、この発明の第六実施形態について図１３、図１４に基づいて説明する。ここで、上述の実施の形態と同様の部材は同様の符号を付して説明を省略する。この実施形態の回り止め部材６２は、帯状の本体１４の、長手方向中心よりも少し端部１４ｂ寄りの位置に、長手方向に対して直角な折罫線６４が設けられている。そして、本体１４の端部１４ｄ寄りの位置に、折罫線６６が形成されている。折罫線６６と折罫線６４の間隔は、折罫線６４と端部１４ｂの間隔とほぼ等しい距離である。折罫線６６の端部１４ｄ寄りの本体１４には、糊付部６８が設けられている。そして本体１４側縁部１４ｃには、側縁部１４ｄに連続して側方へ突出する保持片５６が、折罫線５７を介して設けられている。折罫線５７には、保持片５６の直線部５６ａ側から切込線５７ａが設けられている。
【００２７】
次に、この実施形態の回り止め部材６２の使用方法について説明する。まず、糊付部６８の紙面裏面に糊を塗布し、本体１４を折罫線６４で正折りし、さらに折罫線６６で正折りし、糊付部６８を本体１４の紙面表側に接着する。この後、商品のビン２４を収容し包装する工場等において、一対の折罫線６４，６６が互いに近づくように、本体１４を外側に湾曲させ、嵌合部２０とする。そして嵌合部２０にビン２４の底部に連続する側面を差し込み取り付ける。そして、回り止め部材６２を取り付けた状態でビン２４を包装用箱２６の中へ入れる。このとき、保持片５６は包装用箱２６の底部２６ｅに当接し、回動が抑えられている。
【００２８】
この実施形態の回り止め部材６２によれば、第四実施形態と同様の効果を有するものである。そして、糊付片６８に本体１４を接着した状態で出荷し、商品のビン２４を包装し出荷する工場において、折罫線６４と折罫線６６を近づけるようにして本体１４を湾曲させて、ビン２４に取り付けるだけなので、組み立てる手間がかからず、便利である。
【００２９】
なお、この発明の回り止め部材は上記各実施の形態に限定されるものではなく、回り止め部材の本体の形状や、係合部の構造、折罫線の位置や数等自由に変更可能である。一つの包装用箱に複数のビンが入れられているときも、形状を変更して対応することができる。そして、収容するビンや包装用箱の形状は、上記実施形態以外のものでも良く、互いに確実に係止して包装用箱に対するビンの移動や回転を抑えるものであれば良い。また、回り止め部材の素材は、透明な合成樹脂以外に、不透明な合成樹脂や紙等でも良い。包装用箱の素材も、透明な合成樹脂以外に、紙等で作られ一部に窓が設けられているもの等、適宜選択可能なものである。
【００３０】
【発明の効果】
この発明の回り止め部材は、簡単な構造で、簡単な作業工程により組み立てられ、包装用箱内におけるビン等の商品の回動や移動を抑えることができる。これにより、収容物の位置が確実に規制され、例えば正面が常に包装用箱の正面に位置し、店頭に陳列したときにも外観等が良好となる。
【図面の簡単な説明】
【図１】この発明の第一実施形態の回り止め部材の斜視図である。
【図２】この実施形態の回り止め部材の平面図である。
【図３】この実施形態の回り止め部材の展開図である。
【図４】この発明の第二実施形態の回り止め部材の展開図である。
【図５】この実施形態の回り止め部材の斜視図である。
【図６】この発明の第三実施形態の回り止め部材の展開図である。
【図７】この実施形態の回り止め部材の斜視図である。
【図８】この発明の第四実施形態の回り止め部材の斜視図である。
【図９】この実施形態の回り止め部材の展開図である。
【図１０】この実施形態の回り止め部材の斜視図である。
【図１１】この発明の第五実施形態の回り止め部材の斜視図である。
【図１２】この実施形態の回り止め部材の展開図である。
【図１３】この発明の第六実施形態の回り止め部材の展開図である。
【図１４】この実施形態の回り止め部材の斜視図である。
【符号の説明】
１０  回り止め部材
１２  回り止め部材形成片
１４  本体
１６，１８  切込線
２０  嵌合部
２２  支持部
２４  ビン
２６  包装用箱
２８  キャップ
【符号の説明】
【図１】
0003953326.tif 000002
【図２】
0003953326.tif 000003
【図３】
0003953326.tif 000004
【図４】
0003953326.tif 000005
【図５】
0003953326.tif 000006
【図６】
0003953326.tif 000007
【図７】
0003953326.tif 000008
【図８】
0003953326.tif 000009
【図９】
0003953326.tif 000010
【図１０】
0003953326.tif 000011
【図１１】
0003953326.tif 000012
【図１２】
0003953326.tif 000013
【図１３】
0003953326.tif 000014
【図１４】
0003953326.tif 000015